(57)【要約】【課題】  施工現場の状況により、必要とされる舗装用レーキの均し板の傾斜角度を、均し板の取付け角度調整金具を取付けることにより、適切な角度へと変更することができ、施工作業をする人が無理な体勢をとらなくても、適切な作業姿勢で、舗装材の敷き広げ敷き均し及び、境界周辺での舗装材の余盛り処理等のレーキ作業ができることにより、労働条件の改善と効率的な舗装施工及び、品質向上を可能とする舗装用レーキを提供すること。【解決手段】  本発明の舗装用レーキ１は、均し板６と柄２と取付け金具４と取付け角度調整金具５を有し、均し板６と取付け金具４は、均し板取付け角度調整金具５を介してボルト・ナット５ｂと５ｃによって固定され、柄２と取付け金具４はボルト・ナット３によって固定されている。【選択図】図１
2010059719.tif 000002
【特許請求の範囲】
【請求項１】
均し板と柄とを有する舗装用レーキにおいて、
前記均し板と柄が、取付け角度調整金具を介して取付けられていることにより、均し板の傾斜角度を任意の取付け角度で固定することが出来ることを特徴とする舗装用レーキ。
【発明の詳細な説明】
【技術分野】
【０００１】
本発明は、道路等の舗装を行う際に、アスファルト合材等の舗装材の敷き均しをするための舗装用レーキに関する。
【背景技術】
【０００２】
道路等の舗装・補修時には、アスファルト合材等の舗装材を該当範囲にアスファルトフィニッシャー等の機械にて敷き均し、ローラ等の転圧機械で転圧して締め固める。特に、小規模範囲の舗装・補修工事においては、一般てきに、人力にて舗装材の投入や敷き均しをする。人力にての敷き均しでは、通常、特許文献１に記載されているようなＴ字型の舗装用レーキが使用されている。これらの舗装用レーキにより、舗装材を所定の範囲内に敷き広げて敷き均しをするが、転圧後に規定の舗装路面の高さが得られるように、所定の高さまで舗装材の余盛りをして、敷き均しがされている。そして、機械施工にせよ、人力施工にせよ、舗装範囲の端部においては、前記のＴ字型の舗装用レーキ等にて、境界面が内側へ傾斜した斜面となるような余盛の処理がなされ、余盛り部分が転圧によって、舗装範囲の境界外へはみ出ることが防止されている。
【０００３】
通常、道路には縁石やガードレール等の各種の構造物が設置されていることが多く、新設道路の舗装、改修舗装、補修舗装等の舗装工事において、アスファルトフィニッシャー等の機械でアスファルト合材等の舗装材の敷き均し施工をする際に、既設の構造物の境界周辺での舗装材の余盛り処理及び、それに伴う舗装材の敷き均しにおいて、必ず舗装用レーキを使用し、ローラ等での転圧締め固めをする前に、速やかに境界周辺での舗装材のはみ出し防止処理等をしなければならない。又、小規模範囲の舗装・補修工事においは、人力にて、舗装材の敷き広げ敷き均し及び、境界周辺での舗装材の余盛り処理等と、舗装用レーキが多用され、必要不可欠な重要な道具となっている。
【特許文献１】登録実用新案第３０７２８９５号公報
【発明の開示】
【発明が解決しようとする課題】
【０００４】
しかしながら、従来のＴ字型の舗装用レーキは、均し板と柄が直角となるように取付けられているので、施工現場の状況により、必要とされる舗装用レーキの均し板の傾斜角度が異なれば、施工作業をする人が、経験値で舗装用レーキの柄の持ち方と作業姿勢等を変えて対応しなければならないという問題点があった。
【０００５】
本発明は、前記した従来の舗装用レーキの有する問題点を解決するためになされたものであり、その課題とするところは、施工現場の状況により、必要とされる舗装用レーキの均し板の傾斜角度を、均し板取付け角度調整金具を取付けることにより、適切な角度へと変更することができ、施工作業をする人が無理な体勢をとらなくても、適切な作業姿勢で、舗装材の敷き広げ敷き均し及び、境界周辺での舗装材の余盛り処理等のレーキ作業ができることにより、労働条件の改善と、効率的な舗装施工及び、品質向上を可能とする舗装用レーキを提供することにある。
【課題を解決するための手段】
【０００６】
そして、上記目的を達成するためになされた本発明は、均し板と柄が取付け角度調整金具を介して取付けられている。
【０００７】
本発明の舗装用レーキによれば、均し板と柄とが取付け角度調整金具を介して取付けられていることにより、施工現場の状況により、必要とされる舗装用レーキの均し板の傾斜角度を、適切な角度へと変更することができ、均し板の傾斜角度を変化させることにより、施工作業をする人が無理な体勢を取らなくても、適切な作業姿勢で、舗装材の敷き広げ敷き均し及び、境界周辺での舗装材の余盛り処理等のレーキ作業ができる。
【発明の効果】
【０００８】
上述した本発明の舗装用レーキによれば、舗装材の敷き広げ敷き均し及び、構造物等の境界周辺での舗装材の余盛り処理等のレーキ作業をするときに、施工現場の状況により、舗装用レーキの均し板の取付け角度を変化させることにより、レーキ作業をする人が無理な体勢を取らなくても、均し板を容易に適切な傾斜角度に保持して作業をすることができることにより、労働条件の改善と、効率的な舗装施工及び、品質向上を可能とすることができる。
【発明を実施するための最良の形態】
【０００９】
舗装用レーキの均し板と柄とが、取付け角度調整金具を介して取り付けられており、施工現場の状況により、必要とされる舗装用レーキの均し板の傾斜角度を、適切な角度へと変更することができる。
【実施例】
【００１０】
以下、本発明の実施の形態を図１〜図６に基づいて詳細に説明する。
本形態の舗装用レーキ１は、図１〜図５に示すように、均し板６と棒状の柄２と取付け金具４と取付け角調整金具５を有し、均し板６と取付け金具４は、均し板取付け角度調整金具５を介してボルト・ナット５ｂと５ｃによって固定され、柄２と取付け金具４はボルト・ナット３によって固定されている。均し板６は木製であり、取付け金具４と柄２はアルミ等の金属製のものを使用している。均し板取付け角度調整金具５は強度のある金属性のものを使用している。
【００１１】
均し板取付け角度調整金具５はヒンジ機構を有し、ボルト・ナット５ａにより、均し板６と柄２とを天地方向に、図３と図５と図６の通りのように、任意の取付け角度で固定することができる。
【００１２】
次に、本発明の舗装用レーキ１を使用した、舗装材の敷き広げ敷き均し及び、境界周辺での舗装材の余盛り処理等の施工工程について説明する。
まず、（１）舗装施工の範囲内に縁石やガードレール等の各種の構造物が接地されているところに、機械又は人力での舗装材の敷き均しがされる。人力での敷き均しで、舗装材の引き込み作業が多ければ、図６の通り均し板の上辺６ａが前方に出るように、均し板の傾斜角度を調整する。次に（２）縁石やガードレール等の間際での舗装材の敷き均し及び、余盛り処理等では、図５の通り均し板の底辺６ｂが前方に出るように、均し板の傾斜角度
を調整する。次に（３）縁石やガードレール等を避けながら均し板６を舗装材に押し付けて、境界周辺での余盛り処理等をする。その後ローラ等の機械転圧をし、舗装工事等の施工は終了する。
【００１３】
以上詳細に説明したように、本形態の舗装用レーキ１によれば、均し板取付け角度調整
金具を有しているので、施工現場の状況に対応した舗装材の敷き広げ敷き均し及び、境界周辺での舗装材の余盛り処理等をすることは容易であり、労働条件の改善と、効率的な舗装施工と品質向上が可能となる舗装用レーキ１となっている。
【００１４】
なお、本実施の形態は単なる例示にすぎず、本発明を何ら限定しない。したがって本発明は必然的にその要旨を逸脱しない範囲内で種々の改良、変形が可能である。
例えば、均し板６や柄２の材質は上記の例に限らない。又、均し板６の形状は平板に限らず曲面の形状でもよく、取付け方法も上記に限らず、着脱交換が可能であればよい。
【図面の簡単な説明】
【００１５】
【図１】本形態に係る舗装用レーキ一例を示す一部破断平面図。
【図２】図１の下側正面図。
【図３】図１の右側側面図。
【図４】図３の右側裏面図。
【図５】図３の均し板の取付けを上方にした右側面図。
【図６】図３の均し板の取付けを下方にした右側面図。
【符号の説明】
【００１６】
１舗装用レーキ
２柄
３ボルト・ナット
４取付け金具
５均し板の取付け角度調整金具
５ａボルト・ナット
５ｂボルト・ナット
５ｃボルト・ナット
６均し板
６ａ均し板上辺
６ｂ均し板下辺
【図１】
2010059719.tif 000003
【図２】
2010059719.tif 000004
【図３】
2010059719.tif 000005
【図４】
2010059719.tif 000006
【図５】
2010059719.tif 000007
【図６】
2010059719.tif 000008